(57)【要約】【課題】  簡易構成であって、製造ラインの任意の時間に充填物を容易に補充し得る小型で安価であって作業性の良好な吐出装置を提供する。【解決手段】  タンク１内に吐出ノズル５と接続された第１の充填容器３を設ける。タンク１外に第１の充填容器３と接続された第２の充填容器８を設け、この中に充填された充填物を外気にふれない状態で第１の充填容器３内に充填できるようにした。この充填物としては、湿度により硬化する変性シリコーン系接着剤を用いると好適である。【選択図】    図１
2005095820.tif 000002
【特許請求の範囲】
【請求項１】
中空状をなし、かつ加圧ポンプ（９）と接続された密閉可能なタンク（１）と、
このタンク（１）内に設けられ、加圧によって変形可能であって充填されている充填物を吐出ノズル（５）側へ送出する第１の充填容器（３）と、
この第１の充填容器（３）と開閉弁（７）を介し接続され、第１の充填容器（３）側へ充填されている充填物を充填可能な第２の充填容器（８）と、
を備えてなることを特徴とする吐出装置。
【請求項２】
請求項１記載において、前記充填物は湿度により硬化する変性シリコーン系接着剤であることを特徴とする吐出装置。
【発明の詳細な説明】
【技術分野】
【０００１】
この発明は、電気音響変換器の組み立ての際に用いると好適な吐出装置に関する。
【背景技術】
【０００２】
スピーカやマイクロフォンは、一般にコーン、ダンパー、ボイスコイル等の部品を接着剤を用いて固定したりする。
【０００３】
接着剤を扱う装置としては特開２００２−１９２０５５に示される送液装置が存在する。
【０００４】
図４はこの装置を示す。この装置は、一次充填容器２０と連通し、内部に紫外線硬化性組成物が貯留されるタンク本体２１と、タンク本体２１内に空気を供給することによってタンク本体２１内を加圧し一次充填容器２０に向けて紫外線硬化性組成物を押し出す加圧ポンプ２２と、タンク本体２１内を減圧するリリーフ弁２３と、一次充填容器２０内の液量を検出する液面センサ２４と、液面センサ２４の検出結果に基づき、一次充填容器２０内の液量が所定量に達したらリリーフ弁２３を開放してタンク本体２０内を減圧し一次充填容器２０への紫外線硬化性組成物の供給を停止する制御装置２５を備えた構成となっている。
【特許文献１】特開２００２−１９２０５５
【０００５】
しかしながら、この装置は、紫外線硬化性の接着剤を対象とし、また、一次充填容器２０は、センサ２４を設ける室２０ａと、ピストン駆動機構２６、シリンダ２７を設ける室２０ｂとに区画形成し、ピストン駆動機構２６、シリンダ２７を作動させ接着剤ａを吐出口２８から吐出させる形成となっており、装置が複雑で大型となり、コスト高となり、かつ設置スペースも要する、という課題がある。
【０００６】
これに対し、簡易構成であって小型で、かつ電気音響変換器組み立て用の接着剤の充填、吐出装置としては、図３に示す構成のものがある。
【０００７】
この装置は、蓋２’が着脱自在なタンク１’内に接着剤が充填される充填容器３’が設けられ、タンク１’内は加圧ポンプ９’によって加圧可能に構成されている。充填容器３’にはタンク外へ通じ、かつ先端部に開閉自在な吐出ノズル５’が設けられた導管４’が接続され、また、タンク１’にはタンク１’内を減圧するリリーフ弁１１’が設けられている
【発明の開示】
【発明が解決しようとする課題】
【０００８】
使用に際しては、まず、加圧ポンプ９’を作動させてタンク１’内を加圧すると、タンク１’内の充填容器３’に圧力が作用するため、その圧力に応じて充填容器３’内の接着剤が導管４’へ押し出されて吐出ノズル５’を開くことにより接着剤を吐出することができる。
【０００９】
充填容器３’内の充填物が無くなった場合、充填容器３’を取り出し、接着剤が充填されている新しい充填容器３’と交換していた。
【００１０】
この交換作業としては、具体的には、まず、リリーフ弁１１’を開放してタンク１’内の圧力を減圧し、常圧になったところでタンク１’の蓋２’をあけ、空になった充填容器３’を取り出した後、新たな充填容器３’を接続し、タンク１１’に蓋２’をして、加圧して吐出を行う。
【００１１】
これらの一連の作業は、労力がかかり、また、取替えの時間も多く費やす、という課題があった。
【００１２】
また、充填容器３’を交換する場合、充填容器３’内の接着剤をすべて使い切ってから交換することが経済的には無駄がなく好ましい。しかし、接着剤の吐出システムを使用する用途によっては、連続生産のラインにおける用途の様に他の工程との関係でこの吐出システムの液体の為に全体ラインを止めることは望ましくない、という課題もあった。
【００１３】
通常は休憩時間や、生産品目の切り替え時等の休止時に交換することが望ましいが、このような任意のタイミングで交換すると容器内に液体が残存することになり、このようにすると経済的に好ましくない、という課題があった。
【００１４】
この発明は上記のことに鑑み提案されたもので、その目的とするところは、簡易構成であって、製造ラインの任意の時間に充填物を容易に補充し得る小型で安価であって作業性の良好な吐出装置を提供することにある。
【課題を解決するための手段】
【００１５】
請求項１の発明は、中空状をなし、かつ加圧ポンプ９と接続された密閉可能なタンク１と、このタンク１内に設けられ、加圧によって変形可能であって充填されている充填物を吐出ノズル５側へ送出する第１の充填容器３と、この第１の充填容器３と開閉弁７を介し接続され、第１の充填容器３側へ充填されている充填物を充填可能な第２の充填容器８と、を備えた構成とし、上記目的を達成している。
また、請求項２の発明は、請求項１記載において、前記充填物は湿度により硬化する変性シリコーン系接着剤であることを特徴としている。
【発明の効果】
【００１６】
請求項１の発明によれば、タンク１内に置かれた第１の充填容器３に、タンク１外に設置され、充填物が充填された第２の充填容器８を接続したため、第１の充填容器３内の充填物が減少した場合、タンク１から第１の充填容器８を取り出すことなく第２の充填容器８内の充填物を第１の充填容器３内へ供給できるので、充填作業が容易で、かつ製造ラインを止めることなく任意の時間に容易に充填物を補充することができる。
【００１７】
請求項２の発明によれば、湿気によって硬化する接着剤であっても外気にふれない状態で、第２の充填容器８から第１の充填容器３内へ充填することができるため、硬化や変質を防止し得る。
【発明を実施するための最良の形態】
【００１８】
以下、本発明の実施の形態を図面に基づいて説明する。
【００１９】
［実施の形態１］
図１は本発明の一実施例の内部構造を示す縦断面図を示す。
【００２０】
図中１は内部が中空状のタンクであり、上部に着脱自在な蓋２が設けられ、密閉可能に構成されている。
【００２１】
タンク１内には接着剤のような充填物が充填可能な第１の充填容器３が設けられている。この第１の充填容器３のは例えば薄いアルミのような可撓性を有する材質にて形成され、膨縮自在となっており、その下部には第１の導管４の一端が接続され、この導管４は蓋２に形成された孔を介し外部に導出され、かつ先端部には開閉自在なノズルを有する吐出ノズル５が設けられている。
【００２２】
また、タンク１の上部には第２の導管６の一端が接続され、この導管６も蓋２に形成された孔を介し外部に導出され、この導管６の他端は開閉弁７を介し第２の充填容器８に接続されている。この第２の充填容器８は第１の充填容器１と同様の材質からなり、第１の充填容器１内の充填物が減少した場合に第１の充填容器３内に開閉弁７を開にして充填物を充填するためのものである。
【００２３】
なお、第２の充填容器８は空になれば、充填物が充填されている他の充填容器（図示せず）と交換される。
【００２４】
この第２の充填容器８に代え、充填物が充填されている他のタンクを用いることも可能である。
【００２５】
９は加圧ポンプであり、加圧ポンプ用の導管１０の先端部は蓋２に形成された孔を介しタンク１内に臨設され、加圧ポンプ９を作動させることにより、変形可能な第１の充填容器３を加圧できるように構成されている。
【００２６】
１１は減圧用のリリーフ弁であり、その導管１３の先端部はタンク１内に設けられ、タンク１内を減圧できるように構成されている。
【００２７】
次に本発明の動作について説明する。
【００２８】
加圧ポンプ９によりタンク１内を加圧すると、その圧力に応じて変形可能な第１の充填容器３が加圧され、内部の充填物が第１の導管４を通って吐出ノズル５側へ押し出され、吐出ノズル５を操作することにより、充填物を外部に吐出させることができる。
【００２９】
第１の充填容器３内の充填物が減少したり、空になった場合、加圧を停止し、かつリリーフ弁１１を介しタンク１内を減圧して常圧とし、開閉弁７を開放し、第２の充填容器８に外力を加え押圧すれば第２の充填容器８内の充填物を第１の充填容器３側に押し出し充填物を第１の充填容器１内に充填することができる。
【００３０】
この作業は、蓋２を取り外したり、第１の充填容器３を取り出す必要がないため、必要に応じ任意のタイミングできわめて容易、かつ迅速に行うことができる。
【００３１】
［実施の形態２］
図２は本発明の第２実施例を示す。
【００３２】
この実施例では第２の充填容器８を加圧可能な状態に置き、加圧ポンプ９の導管１０を延設し、開閉弁１３を介し第２の充填容器８を加圧可能とし、第２の充填容器８を加圧することにより、第１の充填容器３内に速やかに充填物を充填できるようにしたことに構成上の特徴を有している。第２の充填容器８を加圧する場合はタンク１側へ延びる導管１０部分に設けられた開閉弁１２は閉じられる。
【００３３】
なお、第２の充填容器８は他の加圧ポンプ（図示せず）によって加圧可能に構成することも可能である。
【００３４】
他の構成は前述の実施例と同様である。
【００３５】
本発明で用いられる充填物としては湿度により硬化する変性シリコーン系接着剤が予定されている。
【００３６】
この接着剤は速硬化性であるため、作業性が向上する利点があり、電気音響変換器の組み立てに用いると好適である。
【００３７】
この接着剤は空気にふれると空気中の湿気により硬化してしまう。このため、本発明の装置を用いると外気にふれない状態で、第１の充填容器３内へ接着剤を充填することができ、途中で硬化して目詰まりを起こしたり、接着剤の変質を防止できる利点がある。
【００３８】
なお、他の接着剤用としても用いることは可能であり、また、接着剤以外のものにも適用可能である。
【図面の簡単な説明】
【００３９】
【図１】本発明の第１実施例の説明図を示す。
【図２】本発明の第２実施例の説明図を示す。
【図３】従来例を示す。
【図４】他の従来例を示す。
【符号の説明】
【００４０】
１  タンク
２  蓋
３  第１の充填容器
４  第１の導管
５  吐出ノズル
６  第２の導管
７  開閉弁
８  第２の充填容器
９  加圧ポンプ
１０  導管
１１  リリーフ弁
１２、１３  開閉弁
【図１】
2005095820.tif 000003
【図２】
2005095820.tif 000004
【図３】
2005095820.tif 000005
【図４】
2005095820.tif 000006